(57)【特許請求の範囲】
【請求項１】
連続紙に走行方向と平行な折り目を形成可能な、上流側の一辺から下流側の一頂部に向かう傾斜面を備え、かつ前記上流側の一辺と平行に移動可能に設けられた連続紙縦折り機構の前記傾斜面で、当該傾斜面を上流側から下流側に向かって走行する連続紙の前記一頂部を通過する部位を走行方向に沿って切断可能なスリッター装置であって、
前記上流側の一辺と直角で前記下流側の一頂部と重なる前記傾斜面上の直線の一部を含み当該直線と平行に当該傾斜面に設けられたスリットと、
駆動されて回転可能なスリッターナイフを備え、当該スリッターナイフの刃先が前記スリットを通過して前記傾斜面に対し出没可能であるよう前記連続紙縦折り機構に設けられたスリッターナイフ機構と、
前記スリットと平行な軸線周りに角変位可能なアームの自由端に取り付けられ、外周面に溝を備えかつ回転可能に設けられた刃受けを備え、前記アームが前記傾斜面と略平行な姿勢となり当該刃受けの溝が前記スリットを通過して露出する前記スリッターナイフの刃先を受容する作用位置と、前記アームが前記傾斜面と略直角な姿勢となり前記傾斜面を開放する退避位置との間で移動可能であるよう前記連続紙縦折り機構に設けられた刃受け機構とを備え、
前記傾斜面に設けられたスリットが、当該傾斜面に設けられた前記スリッターナイフの交換が可能な切り欠き穴を塞いで取外し可能に設けられた蓋部材に設けられる
ことを特徴とするスリッター装置。
【請求項２】
請求項１記載のスリッター装置において、
前記刃受け機構が、前記刃受けを作用位置近傍の中間位置に停止可能に設けられる
ことを特徴とするスリッター装置。
【請求項３】
連続紙に走行方向と平行な折り目を形成可能な、上流側の一辺から下流側の一頂部に向かう傾斜面を備え、かつ前記上流側の一辺と平行に移動可能に設けられた連続紙縦折り機構を前記上流側の一辺と平行に隣り合わせて設けた輪転機であって、
前記連続紙縦折り機構のそれぞれの前記傾斜面を形成する部材の互いに近接する側を切り欠いて、隣り合わせて設けた各連続紙縦折り機構が互いに接近する方向に移動可能な空間を設けるとともに、当該各連続紙縦折り機構に請求項１又は請求項２に記載のスリッター装置を設ける
ことを特徴とする輪転機。
【発明の詳細な説明】
【技術分野】
【０００１】
本発明は、輪転機のスリッター装置及びこのスリッター装置を備えた輪転機に関し、特に、連続紙に走行方向と平行な折り目を形成可能な、上流側の一辺から下流側の一頂部に向かう傾斜面を有する部材（以下、フォーマーとする。）を備え、かつ前記上流側の一辺と平行に移動可能に設けられた連続紙縦折り機構の前記フォーマーにおいて、当該フォーマーを上流側から下流側に向かって走行する連続紙の前記一頂部（以下、フォーマーノーズとする。）を通過する部位を走行方向に沿って切断可能なスリッター装置びこのスリッター装置を備えた輪転機に関する。
【背景技術】
【０００２】
近年、連続紙を扱う輪転機では、当該輪転機の稼働効率を上げるべく、複数の幅の連続紙に印刷して処理し得ることが求められており、印刷ユニットにおける刷版装着機構、インキ供給機構等の工夫や、折畳ユニットにおけるドラグローラーへの紙押えローラーの位置調整機構の工夫等様々な工夫が行われている。また、前記連続紙縦折り機構を連続紙の幅方向に並べて設け、当該並べて設けた連続紙縦折り機構のそれぞれのフォーマーに、連続紙を長さ方向と平行に切断し分割した分割連続紙を導くようにした所謂ダブル幅輪転機やトリプル幅輪転機においても、同様に複数の幅の連続紙に印刷して処理し得ることが求められている。このような輪転機では、各分割連続紙の幅方向中央部が縦折り目になるように、各分割連続紙の中央部がフォーマーノーズを通過できるようにする機構が必要となる。当該機構の一つが、例えば特許文献１（特許第２６７６３２７号公報）に示される機構（従来技術１）である。特許文献１に示される機構は、フォーマー及びフォーマーの下方に設けられた一対のニッピングローラーを可動フレームに設け、当該可動フレームを装置本体に対して、連続紙の幅に合わせて連続紙の幅方向に移動させることができるようにしたものである。また、このような移動の際にフォーマーの上流側の接近部が干渉するのを避けるために、例えば、特許文献２（実公昭４８−２０５７６号公報）に示される機構（従来技術２）のように、フォーマーの上流側の側部を取外し及び取付け可能に、あるいは、ヒンジによって折り重ね及び展開が可能に構成されている。
【０００３】
他方、折丁形式の多様化要請にともなって、例えば、特許文献３（特開平２−２９５８５９号公報）は、従来フォーマーで縦折りしていた連続紙あるいは分割連続紙を、縦折りに替えて、折り目となるべき部位に沿って縦方向に切断して重ね合わせる処理を行うことが可能であるように、フォーマーに沿って走行する連続紙あるいは分割連続紙を幅方向中央で切断するスリッター機構（従来技術３）を提案している。特許文献３に示されるスリッター機構は、フォーマーの連続紙が走行する側の面（フォーマー前面）に近接してロッドが設けられ、当該ロッドには、フォーマーの幅方向の中心線が通過する位置と対向する位置に、必要に応じてフォーマーに当て付け可能である切断ホイール（切断刃）が設けられており、当該切断ホイールをフォーマーに当て付けつけることによって、フォーマーに沿って走行する前記連続紙あるいは分割連続紙を、走行の際にフォーマーの幅方向中心線と整合する部位、つまりフォーマーによって縦折りするときに折り目となるべき部位に沿って縦方向に切断するものである。
【特許文献１】特許第２６７６３２７号公報
【特許文献２】実公昭４８−２０５７６号公報
【特許文献３】特開平２−２９５８５９号公報
【発明の開示】
【発明が解決しようとする課題】
【０００４】
しかしながら、前記各従来技術にはそれぞれ次のような課題があった。すなわち、従来技術１は、フォーマー及びフォーマーの下方に設けられた一対のニッピングローラーを一体で連続紙の幅方向に移動させることができる機構を示しているが、フォーマーに沿って走行する連続紙あるいは分割連続紙を縦方向に切断する手段の有無について記載していない。
【０００５】
従来技術２は、フォーマーの移動に際してフォーマーの一部の取外しや取付け、あるいはフォーマーの一部の折り畳みや展開を、作業者が手作業で行わなければならないので、作業が煩雑であり、かつ、比較的多くの作業時間を要し、また自動化の妨げになるものであった。更に、昨今のように処理する連続紙の幅寸法が多種にわたると、それに応じた数の取外しや取付けする部材あるいは折る位置を準備する必要があるので、当該従来技術２は、実際上は多種の幅寸法の連続紙への対応が不可能であった。
【０００６】
従来技術３は、フォーマーに沿って走行する連続紙を、その幅方向の中央で切断し得るものの、フォーマーの、連続紙の幅方向への移動については記載していない。また、切断ホイールが、常時フォーマーの前面に近接した位置にあるので、フォーマー前面における作業、例えば紙通し作業等を行う際に大いなる妨げになった。
【０００７】
そして、従来技術１、従来技術２、従来技術３に示される技術を併合して新たな機構を工夫しても、前記各従来技術が抱える課題を解消する機構にはならなかった。
【０００８】
本発明は、フォーマーを連続紙の幅方向に移動させることが可能であるとともに、フォーマーに沿ってフォーマーノーズに向かって走行する連続紙の前記フォーマーノーズを通過する部位を縦折り可能である連続紙縦折り機構において、縦折りに替えて、折り目となるべき部位に沿って縦方向に切断することが可能であり、かつ前記連続紙の幅方向へのフォーマーの移動にともなって、フォーマーに対する位置関係を変更することなく連続紙の幅方向への移動が可能であるスリッター装置の提供を目的とする。すなわち、本発明は、連続紙を長さ方向に沿って２分割して処理する輪転機において連続紙の幅寸法の変化に応じて２分割後の連続紙の幅方向の中央位置で当該連続紙を縦折ることができ、かつ、当該連続紙の縦折り処理と、連続紙を縦方向に切断する切断処理とを選択的に実行することができるスリッター装置の提供を目的とする。本発明は、更に、紙通し等のフォーマー前面における作業の際に、当該作業を妨げないようフォーマーの前面から離れてフォーマーの前面を開放する位置に退避可能なスリッター装置を提供することを目的とする。また、本発明は、上記スリッター装置を備えた連続紙縦折り機構を連続紙の幅方向に並べて設けるとともに、処理する連続紙の幅寸法の変更に整合させて、フォーマーを含む連続紙縦折り機構を所望かつ任意の位置に移動することが可能であるように構成した輪転機を提供することを目的としている。
【課題を解決するための手段】
【０００９】
本発明のスリッター装置は、連続紙に走行方向と平行な折り目を形成可能な、上流側の一辺から下流側の一頂部に向かう傾斜面を備え、かつ前記上流側の一辺と平行に移動可能に設けられた連続紙縦折り機構の前記傾斜面で、当該傾斜面を上流側から下流側に向かって走行する連続紙の前記一頂部を通過する部位を走行方向に沿って切断可能なスリッター装置であって、前記上流側の一辺と直角で前記下流側の一頂部と重なる前記傾斜面上の直線の一部を含み当該直線と平行に当該傾斜面に設けられたスリットと、駆動されて回転可能なスリッターナイフを備え、当該スリッターナイフの刃先が前記スリットを通過して前記傾斜面に対し出没可能であるよう前記連続紙縦折り機構に設けられたスリッターナイフ機構と、外周面に溝を備えかつ回転可能に設けられた刃受けを備え、当該刃受けの溝が前記スリットを通過して露出する前記スリッターナイフの刃先を受容する作用位置と前記傾斜面を開放する退避位置との間で移動可能であるよう前記連続紙縦折り機構に設けられた刃受け機構とを備える。
【００１０】
好ましくは、本発明のスリッター装置において、前記傾斜面に設けられたスリットが、当該傾斜面に設けられた切り欠き穴を塞いで取外し可能に設けられた蓋部材に設けられる。
【００１１】
好ましくは、本発明のスリッター装置において、前記刃受け機構が、前記刃受けを作用位置近傍の中間位置に停止可能に設けられる。
【００１２】
また、本発明の輪転機は、連続紙に走行方向と平行な折り目を形成可能な、上流側の一辺から下流側の一頂部に向かう傾斜面を備え、かつ前記上流側の一辺と平行に移動可能に設けられた連続紙縦折り機構を前記上流側の一辺と平行に隣り合わせて設けた輪転機であって、前記連続紙縦折り機構のそれぞれの前記傾斜面を形成する部材の互いに近接する側を切り欠いて、隣り合わせて設けた各連続紙縦折り機構が互いに接近する方向に移動可能な空間を設けるとともに、当該各連続紙縦折り機構に上記本発明のスリッター装置を設ける。
【発明の効果】
【００１３】
本発明によれば、フォーマーを連続紙の幅方向に移動可能であるとともに、フォーマーに沿ってフォーマーノーズに向かって走行する連続紙の前記フォーマーノーズを通過する部位で縦折り可能である連続紙縦折り機構において、縦折りに替えて折り目となるべき部位に沿って縦方向に切断するスリッターナイフ機構及び刃受け機構を、連続紙の幅方向へのフォーマーの移動の際に、フォーマーに対する位置関係を変更することなく連続紙の幅方向へ移動することが可能であり、当該２つの機構を移動した後に、スリッターナイフと刃受けとの位置関係、及びフォーマーノーズとスリッターナイフの位置関係（つまり、連続紙のスリッターナイフによる切断位置とフォーマーノーズの位置関係）とを精密に調整する調整作業を無くすことができ、フォーマーの移動に係る作業の効率を著しく向上した。
【００１４】
また、フォーマー前面に配した刃受けを、フォーマー前面を開放する位置に退避可能としたので、紙通し等のフォーマー前面における作業を、何ら妨げられることなく円滑になすことができ、当該作業の効率を悪化させることがない。
【００１５】
また、本発明は、フォーマーのスリッターを設けた部分、つまりフォーマーを挟んでスリッターナイフと刃受けとを設けた部位に切り欠き穴を設け、この切り欠き穴を取外し可能な蓋部材で塞ぐようにした。従って、本発明によれば、この蓋部材を取り外してフォーマーの裏側に設けたスリッターナイフの交換をフォーマーの前面側から極めて容易に行うことができる。
【００１６】
また、本発明は、フォーマーによる連続紙の縦折り処理モードと縦折り目となる部位を切断する切断モードとの選択的切換えを、スリッターナイフのフォーマー前面からの出没切換えと、刃受けの作用位置と作用位置近傍の中間位置の間の移動切換えのみで容易に達成することができるようにした。従って、本発明によれば、縦折り処理モードの際にフォーマーに沿って走行する連続紙に無用の負荷をかけることが無く、しかも、モード切換えの際に刃受けを無用に大きく変位させる必要がない。
【００１７】
更に、本発明によれば、処理する連続紙の幅寸法の変更に整合させての、フォーマーを含む連続紙縦折り機構の所望かつ任意の位置への移動調整を、部品の交換等をせずに短時間で行うことができ、また、適宜な駆動装置を介しての自動移動調整も容易に行うことができる。その結果、極めて調整効率の良好な輪転機を得ることができる。
【発明を実施するための最良の形態】
【００１８】
次に、本願発明について、本願発明の実施形態を示す図面を参照して説明する。図１は、本願発明に係るスリッター装置１０を備えた連続紙縦折り機構７０の一部断面側面図、図２は、図１中のスリッター装置のII−II矢視図である。図３は、図１中の連続紙縦折り機構７０のIII 矢視に相当する概略図である。図３では、スリッター装置１０を備えた連続紙縦折り機構７０を隣り合わせて設けた輪転機の連続紙縦折り機構７０に係る部分のみを幅の異なる連続紙Ｗ、つまり最大幅Ｌａを有する連続紙Ｗａ及び最小幅Ｌｂを有する連続紙Ｗｂと関連させて示す。
【００１９】
スリッター装置１０は、輪転機の折部に設けられる連続紙縦折り機構７０に設けられる。スリッター装置１０は、連続紙Ｗに走行方向と平行な折り目を形成可能な、上流側の一辺７２から下流側の一頂部であるフォーマーノーズ７３に向かう傾斜面７４を有する部材であるフォーマー７１を備える。また、スリッター装置１０は、当該フォーマー７１に設けられたスリット７９、連続紙縦折り機構７０に設けられたスリッターナイフ機構２０及び刃受け機構３０を備える。
【００２０】
スリット７９は、フォーマー７１の上流側の一辺７２に直角かつ下流側のフォーマーノーズ７３に重なる傾斜面７４上の直線ＣＬ（図３を参照）を一部含んで、上流から下流に向かって設けられる。図示の実施の形態では、傾斜面７４に当該傾斜面７４を形成する板状部材７５を貫通する略矩形の切り欠き穴７６を設け、この切り欠き穴７６を薄板７７で塞ぎ、当該薄板７７を貫通してスリット７９を設けている。
【００２１】
薄板７７は、板状部材７５に取外し可能にねじ止めされ、ねじ止めされた状態で前記傾斜面７４の一部を形成している。なお、後に説明する、板状部材７５の裏側に設けられるスリッターナイフ機構２０のスリッターナイフ２１を交換するときは、この薄板７７を板状部材７５から取り外して、傾斜面７４側からスリッタ−ナイフ２１の交換を行うことが可能である。
【００２２】
スリッターナイフ機構２０は、原動機２２に設けられた減速機構２３の出力軸に取付けられたスリッターナイフ２１を備えており、スリッターナイフ２１は、原動機２２によって減速機構２３を介して駆動されて回転する。原動機２２は、例えばエアーシリンダーである伸縮動アクチュエーター２４を介して、前記フォーマー７１の板状部材７５の裏側、つまり傾斜面７４の反対側に取付けられ、伸縮動アクチュエーター２４の動作によって、板状部材７５の裏側に対して遠近するよう移動可能である。原動機２２が前記のように取付けられた状態のときに、前記減速機構２３の出力軸は、傾斜面７４と平行かつ前記スリット７９と直角に配され、スリッターナイフ２１の刃先は、フォーマー７１の幅方向において、前記フォーマー７１の傾斜面７４上の直線ＣＬと位置を整合されて設けられる。従って、スリッターナイフ２１は、前記伸縮動アクチュエーター２４の動作による原動機２２の移動によって、前記スリット７９を通って、フォーマー７１の傾斜面７４に対し出没し、傾斜面７４上に露出したときの刃先の位置は、前記傾斜面７４上の直線ＣＬと一致する。なお、図示の実施の形態では、スリッターナイフ２１は片刃である。
【００２３】
刃受け機構３０は、傾斜面７４の側部の上方に設けられた、前記傾斜面７４上の直線ＣＬと平行な軸線周りに角変位可能なアーム３３の自由端側に、例えばエアーシリンダーである伸縮動アクチュエーター３２を介して取付けられた刃受け３１を備えている。アーム３３は、長手方向の一側を、前記傾斜面７４上の直線ＣＬと平行に設けられたピン３７を介して、ブラケット３６に角変位可能に設けられている。
【００２４】
アーム３３の長手方向の他側、つまり自由端側には、前記減速機構２３の出力軸と平行なピン４０周りに回転可能に支持された刃受け３１が、伸縮動アクチュエーター３２を介して取付けられるとともに、当該刃受け３１の取付け側と反対側に前記ピン３７と平行に設けられたピン３８を介して、例えばエアーシリンダーである伸縮動アクチュエーター３４の伸縮ロッドの自由端側が角変位可能に取付けられている。伸縮動アクチュエーター３４の尾部は、前記ブラケット３６の前記ピン３７より傾斜面７４に近い位置にピン３７と平行に設けられたピン３９を介して角変位可能に取付けられている。ブラケット３６は、板状部材７５の裏側に取付けられるとともに、板状部材７５の側部を、連続紙Ｗの側端部の走行域を避けて廻って傾斜面７４の一側にオーバーハングするべースブラケット３５のオーバーハング部分に取付けられている。そして、アーム３３は、伸縮動アクチュエーター３４の伸縮ロッドの伸長と縮退の動作によって、前記傾斜面７４と略平行な姿勢となる位置と前記傾斜面７４と略直角な姿勢となる位置との間でピン３７周りに角変位する。
【００２５】
また、当該アーム３３に伸縮動アクチュエーター３２を介して取付けられた刃受け３１は、アーム３３が傾斜面７４と略平行な姿勢となる位置にあるときに、伸縮動アクチュエーター３２の伸縮ロッドの伸長と縮退の動作によって、刃受け３１の外周面が傾斜面７４を形成する薄板７７に接触する作用位置と、当該薄板７７から伸縮動アクチュエーター３２の伸縮ロッドの縮退量だけ離れた、作用位置近傍の中間位置との間で移動及び停止が可能である。刃受け３１には外周面を一周する溝が設けられており、刃受け３１は、作用位置において、前記溝が、スリット７９を通過して薄板７７の傾斜面から露出する前記スリッターナイフ２１の刃先を、当該溝の一方側壁とスリッターナイフ２１の裏面が微小な間隔を介して対向する状態で受容するよう配される。
【００２６】
アーム３３が傾斜面７４と略直角な姿勢となる位置にあるとき、刃受け３１は傾斜面７４の側方の上部に離隔した退避位置に配される。なお、ブラケット３６には、ブラケット４１、４２を介してそれぞれストッパーボルト４３、４４が設けられており、各ストッパーボルト４３、４４は、前記伸縮動アクチュエーター３４の伸縮ロッドの伸長と縮退の動作によるアーム３３の角変位範囲を規制する。
【００２７】
本発明に係る輪転機（図示せず）は、いずれも図示しない給紙部、印刷部及び折部をそれぞれ適宜の数だけ備えて構成され、折部に、前記スリッター装置１０を備えた複数（例えば２つ）の連続紙縦折り機構７０が、フォーマー７１の上流側の一辺７２を連続紙Ｗの幅方向と平行に、かつ前記上流側の一辺７２を隣り合わせて並べて設けられ、当該輪転機で印刷可能な最大幅Ｌａの連続紙Ｗａ及び最小幅Ｌｂの連続紙Ｗｂ並びに最大幅Ｌａと最小幅Ｌｂの間の如何なる紙幅の連続紙Ｗにも対応可能であるように設けられる。つまり、本発明に係る輪転機は、印刷の施された連続紙Ｗを、２つの連続紙縦折り機構７０のそれぞれのフォーマー７１に送り込み可能であるように、２つの連続紙縦折り機構７０の上流側に、ドラグローラーＤＲ及びセンタースリッター機構ＣＳ（図３を参照）が設けられる。また、２つの連続紙縦折り機構７０は、前記ドラグローラーＤＲ及びセンタースリッター機構ＣＳによって２分割されて送り込まれる２分割連続紙Ｗ１又はＷ２のそれぞれを、その幅方向中央位置で長手方向と平行に折畳み又は切断が可能であるように、連続紙Ｗが最大幅Ｌａの連続紙Ｗａであるときは、各連続紙縦折り機構７０のフォーマー７１の傾斜面７４上の直線ＣＬを、２分割され送り込まれる２分割連続紙Ｗａ１又はＷａ２の幅方向中央の位置に整合させ、連続紙Ｗが最小幅Ｌｂの連続紙Ｗｂであるときは、各連続紙縦折り機構７０のフォーマー７１の傾斜面７４上の直線ＣＬを、２分割され送り込まれる２分割連続紙Ｗｂ１又はＷｂ２の幅方向中央の位置に整合させることができるように設けられる。
【００２８】
詳細には、２つの連続紙縦折り機構７０は、それぞれのフォーマー７１が、その上流側の互いに近接する側を切り欠かれ（図３を参照）、２つの連続紙縦折り機構７０の間に互いに接近する方向に移動可能な空間を設けられるとともに、フォーマーノーズ７３を挟んで設けられるフォーミングローラー８１（図３を参照）及びその下方に設けられるニッピングローラー（図示せず）とともにフレーム機構７８に設けられ、当該フレーム機構７８が、公知の移動機構、例えば前記従来技術１の機構あるいは当該従来技術１の機構に類似する機構によって、輪転機の幅方向中心ＭＣに対して互いに同量だけ接近又は離隔するように、選択的に移動可能に設けられている。
【００２９】
なお、前記フォーマー７１が切り欠かれる部分の幅方向長さは、前記輪転機の幅方向中心ＭＣから最大幅連続紙Ｗａから形成される２分割連続紙Ｗａ１又はＷａ２の幅方向中央位置までの距離と、前記輪転機の幅方向中心ＭＣ（図３参照）から最小幅連続紙Ｗｂから形成される２分割連続紙Ｗｂ１又はＷｂ２の幅方向中央位置までの距離との差、つまり（Ｌａ−Ｌｂ）／４と等しいか、若干大きく設定されている。
【００３０】
以上記載の実施の形態の動作は以下のように行われる。輪転機での印刷稼働を開始する前に、例えば連続紙縦折り機構７０を２つ設けられた輪転機においては、当該印刷稼働で使用する連続紙Ｗの幅に合わせて、２つの連続紙縦折り機構７０を、それぞれフォーマー７１の上流側の一辺７２と平行に移動させ、各フォーマー７１のフォーマーノーズ７３を予め定めた位置に整合させる。つまり、２つの連続紙縦折り機構７０のそれぞれを、各連続紙縦折り機構７０のフォーマー７１のフォーマーノーズ７３が、印刷稼働の際にセンタースリッター機構ＣＳで切断されて走行する２分割連続紙Ｗ１、Ｗ２の幅方向中央位置と整合する位置になるまで移動し停止する。次いで、輪転機の当該印刷稼働で使用する印刷部に適宜の給紙部から連続紙を紙通しし、更に印刷部から折部まで紙通しする。この紙通しに際しては、連続紙縦折り機構７０のフォーマー７１への紙通しの妨げにならないように、スリッター装置１０の刃受け３１を退避位置に退避させフォーマー７１の傾斜面７４の前を開放しておく。つまり、伸縮動アクチュエーター３４の伸縮ロッドを伸長動作させて、アーム３３を、当該アーム３３がストッパーボルト４３で規制されて傾斜面７４と略直角となる位置に角変位させ、当該アーム３３に取付けられた刃受け３１を退避位置に退避させておく。この際、アーム３３と刃受け３１の間に介在する伸縮動アクチュエーター３２の伸縮ロッドは縮退動作させておくのが望ましい。紙通しが済んだ後、前記伸縮動アクチュエーター３４の伸縮ロッドを縮退動作させて、アーム３３を、当該アーム３３がストッパーボルト４４で規制されて傾斜面７４と略平行となる位置に角変位させる。
【００３１】
また、当該印刷稼働が分割連続紙Ｗ１、Ｗ２をさらに２分割する稼働であるときは、前記伸縮動アクチュエーター３４の伸縮ロッドの縮退動作とともに、あるいは当該伸縮動アクチュエーター３４の伸縮ロッドの縮退動作に先行して、原動機２２を起動し、減速機構２３を介してスリッターナイフ２１を予め定めた回転速度で回転させる。このスリッターナイフ２１の回転速度は、分割連続紙Ｗ１、Ｗ２の走行速度より速い刃先の変位速度となるよう定められるが、分割連続紙Ｗ１、Ｗ２の走行速度の上昇につれて速くなるように設定しても、常時分割連続紙Ｗ１、Ｗ２の最高走行速度よりも速い刃先の変位速度であるように設定してもよい。
【００３２】
次いで、輪転機を起動し、連続紙Ｗ及び分割連続紙Ｗ１、Ｗ２を走行させつつ、先ず、伸縮動アクチュエーター３２の伸縮ロッドを伸長動作させて、刃受け３１を作用位置に移動させる。この移動によって、刃受け３１は、その周面が分割連続紙Ｗ１又はＷ２を介してフォーマー７１の傾斜面７４に接触し、傾斜面７４との間に介在する分割連続紙Ｗ１又はＷ２の走行移動にしたがって連れ回りする。
【００３３】
続いて、伸縮動アクチュエーター２４の伸縮ロッドを縮退させて、原動機２２及び減速機構２３とともに、スリッターナイフ２１を板状部材７５の裏側に対して接近する方向に移動させる。この移動により、当該スリッターナイフ２１の刃先は、回転した状態で薄板７７に設けたスリット７９、つまりフォーマー７１に設けたスリット７９を通って傾斜面７４から露出し、刃受け３１の外周面によってフォーマー７１の傾斜面７４に押付けられている分割連続紙Ｗ１又はＷ２を切断しつつ刃受け３１の溝に受容される。すなわち、当該スリッターナイフ２１は、分割連続紙Ｗ１又はＷ２の、フォーマーノーズ７３を通過する部位を走行方向に沿って切断する。
【００３４】
他方、当該印刷稼働が分割連続紙Ｗ１、Ｗ２を連続紙縦折り機構７０で２つ折りする（縦折り処理する）稼働であるときは、前記スリッターナイフ２１の回転のための原動機２２の起動、刃受け３１を作用位置へ移動するための伸縮動アクチュエーター３２の伸縮ロッドの伸長動作及びスリッターナイフ２１をスリット７９から傾斜面７４の上に露出するための伸縮動アクチュエーター２４の伸縮ロッドの縮退動作を中止した状態で、連続紙Ｗ及び分割連続紙Ｗ１、Ｗ２を走行させる。当該分割連続紙Ｗ１、Ｗ２の幅方向中央部がフォーマーノーズ７３を通過すると、当該フォーマーノーズ７３が分割連続紙Ｗ１、Ｗ２をそれぞれ２つ折りする。
【００３５】
なお、前記分割連続紙Ｗ１、Ｗ２をさらに２分割する稼働及び分割連続紙Ｗ１、Ｗ２を２つ折りする稼働のいずれの稼働においても、輪転機は徐々に昇速されるが、分割連続紙Ｗ１、Ｗ２をさらに２分割する稼働では、低速稼働の間にスリッターナイフ２１の刃先が刃受け３１の溝に受容されるようにするのが好ましい。
【産業上の利用可能性】
【００３６】
本発明は、輪転機のスリッター装置及びこのスリッター装置を備えた輪転機に利用可能であり、とりわけ、複数の異なる幅寸法の連続紙に対応可能な輪転機のスリッター装置及び複数の異なる幅寸法の連続紙に対応可能な輪転機として利用可能である。
【図面の簡単な説明】
【００３７】
【図１】スリッター装置を備えた連続紙縦折り機構の一部断面側面図である。
【図２】図１中のスリッター装置のII−II矢視図である。
【図３】図１中の連続紙縦折り機構のIII 矢視に相当する概略図である。
【符号の説明】
【００３８】
１０  スリッター装置
２０  スリッターナイフ機構
２１  スリッターナイフ
２２  原動機
２３  減速機構
２４  伸縮動アクチュエーター
３０  刃受け機構
３１  刃受け
３２、３４  伸縮動アクチュエーター
３３  アーム
３５  べースブラケット
３６、４１、４２  ブラケット
３７、３８、３９、４０  ピン
４３、４４  ストッパーボルト
７０  連続紙縦折り機構
７１  フォーマー
７２  上流側の一辺
７３  フォーマーノーズ
７４  傾斜面
７５  板状部材
７６  切り欠き穴
７７  薄板
７８  フレーム機構
７９  スリット
８１  フォーミングローラー
ＣＬ  直線
ＣＳ  センタースリッター機構
ＤＲ  ドラグローラー
Ｌａ  最大幅
Ｌｂ  最小幅
ＭＣ  輪転機の幅方向中心
Ｗ  連続紙
Ｗ１、Ｗａ１、Ｗ２、Ｗａ２、Ｗｂ１、Ｗｂ２  ２分割連続紙
Ｗａ  最大幅を有する連続紙
Ｗｂ  最小幅を有する連続紙
【図１】
0004728366.tif 000002
【図２】
0004728366.tif 000003
【図３】
0004728366.tif 000004